(57)【特許請求の範囲】
【請求項１】
並列に並んだ2個の入力コリメータから出射された光を光スイッチ内部に入射光に対して入射角１０度以下に設置した厚さ１ｍｍ以上で裏面に反射防止コートを施した光学フィルタによって一定の割合で透過光と反射光に分岐させ、前記分岐された一定の透過光は、駆動装置に搭載された光路平行移動素子を駆動装置にて移動させて、光路平行移動素子を通過させ、または光路平行移動素子を通過させずに素通りさせて切り替えた後、信号光として出力コリメータに入射され、他方、前記分岐された残りの反射光は、モニタ光として光スイッチ内部に設置したフォトダイオード（ＰＤ）で受光させることによって、光信号を電気信号に変換し、モニタすることが可能になることを特徴とするモニタ機能内蔵型光スイッチ。
【請求項２】
請求項１において、光スイッチ内部に設置したフォトダイオード（ＰＤ）を並列に並べることにより、２個の入力コリメータから出射された光に対して光学フィルタを一枚で共用することを特徴とするモニタ機能内蔵型光スイッチ。
【発明の詳細な説明】
【技術分野】
【０００１】
本発明は、光信号のモニタ機能を内蔵化させることにより、部品点数やアセンブリ工数を少なくすることができ、光スイッチシステムの低価格と省スペース化により小型化が可能なモニタ機能内蔵型光スイッチに関するものである。
【背景技術】
【０００２】
従来の光スイッチは、光出力を切り替える機能のみを有したものであり、従来の光スイッチには、光信号をモニタリングする機能はなかった。（例えば、特許文献１参照。）
【０００３】
【特許文献１】特開２００４−２８７１２５号公報
【発明の開示】
【発明が解決しようとする課題】
【０００４】
従って、従来の光スイッチにモニタ機能を付け加える場合には、光スイッチに光カプラを接続し、更に、光カプラにフォトダイオード(ＰＤ)モジュールを接続しなければならない。このように個別構成となっているために、どうしても部品点数や各デバイスを接続するための工数が増加してしまい、高価格で、実装スペースが大きくなってしまうという課題があった。
【課題を解決するための手段】
【０００５】
本発明は、これらの問題を解決するために、鋭意検討した結果、
第１に、並列に並んだ２個の入力コリメータから出射された光を光スイッチ内部に設置した入射光に対して入射角１０度以下に設置した厚さ１ｍｍ以上で裏面に反射防止コートを施した光学フィルタによって一定の割合で透過光と反射光に分岐させ、前記分岐された一定の透過光は、光路平行移動素子に搭載された駆動装置を移動させて、光路平行移動素子を通過させ、または光路平行移動素子を通過させずに素通りさせて切り替えた後、信号光として出力コリメータに入射され、他方、前記分岐された残りの反射光は、モニタ光として光スイッチ内部に設置したフォトダイオード（ＰＤ）で受光させることによって光信号を電気信号に変換し、モニタすることが可能な構造で、
第２に、第１において、光スイッチ内部に設置したフォトダイオード(PD)を並列に並べ搭載することにより、一枚の光学フィルタで2個の入力コリメータから出射された光にをモニタすることが可能な構造のモニタ機能内蔵型光スイッチである。
【発明の効果】
【０００６】
光スイッチにモニタ機能を内蔵していることから、光スイッチをシステムに組み込む際の部品点数やアセンブリ工数を少なくすることができ、低価格化と省スペースにより小型化をはかったモニタ機能内蔵型光スイッチを提供することが可能になる。という優れた効果があるので、その工業的価値は大きい。
【発明を実施するための最良の形態】
【０００７】
以下、本発明のモニタ機能内蔵型光スイッチ１の実施例を、添付図面を参照して詳細に説明する。
【実施例１】
【０００８】
第１実施例は、図１（イ）において、非接触センサ９を除いた構成である。図から明らかなように、並列に並んだ２つの入力コリメータ４と４′、1つの出力コリメータ５、２つの光学フィルタ６、光学フィルタ６によって反射された光をモニタするモニタ用ＰＤ７、信号光を平行移動するための平行移動素子の代表例として、平行四辺形型プリズム３、平行四辺形型プリズム３を搭載する可動部８、可動部８を動かすための駆動装置１０からなるものである。
図１（ロ）に示すように、プリズム３を含む可動部８が駆動装置１０によって上方に移動したときは入力コリメータ４′から出射した光が平行四辺形型プリズム３によって出力コリメータ５に出力される。
他方、図１（ハ）に示すように、可動部８が駆動装置１０によって下方に移動したときは入力コリメータ光４から出射した平行光が平行四辺形型プリズム３を通過せず、上を素通りした場合で、出力コリメータ５に出力される。
例えば、具体例を述べると、入力コリメータ４と４′から出射した平行光２が光学フィルタ６によって、１％反射し、モニタ光としてモニタ用ＰＤ７にそれぞれ入力され、電気信号に変換されモニタされる。一方、光学フィルタ６を透過した９９％の光は信号光として出力コリメータ５に入射される。
第１実施例の光学フィルタ６は、厚さ２ｍｍの板状で、その片面に一定割合を反射する反射コート１２を施し、その反対側の面にＡＲコート１３を設けたものを用い、更に、光学フィルタ６に入射するときの光の入射角度は、入力コリメータ４と４′からの平行光の入射角１１を８°にしたものである。この場合、光学フィルタの厚さを２ｍｍにしたが、１ｍｍ以上あれば構わない。また、入射角１１を８°にしたが１°以上１０°以下であれば構わない。ここで、ＡＲコートは、通過した一部の光が反射してしまうのを防止する役目を果たしている。
【実施例２】
【０００９】
第２実施例は、第1実施例において、モニタ用ＰＤ７を並列に並べることによって、２つの光学フィルタ６が平行に実装されることになり、２つの光学フィルタ６を共有した１つの光学フィルタとしたものである。
【実施例３】
【００１０】
第３実施例は、図１（イ）に示すように、第１及び第２の実施例に非接触センサ９を加えた構成からなる。非接触センサ９によって切り替え状態、つまり、入力コリメータ４と４´の何れかの信号光が、出力コリメータ５に出力されるかを検出することができる。
【００１１】
次に、本発明の第２実施例のモニタ機能内蔵型光スイッチ１を使用し、光学フィルタ６への光の入射角度と反射光強度の偏波依存性(ＰＤＬ)についての評価試験結果を下記の表１に示す。
【００１２】
【表１】
0004471293.tif 000002
【００１３】
この試験結果から、光学フィルタ６への光の入射角を１０°以下の場合が最適範囲であることがわかる。このように、光学フィルタ６への光の入射角を１０°以下にすることによって、偏波による反射光の変動を０．４ｄＢ以下、つまり９０％以下に抑えることができる。
更に、光学フィルタ６への入射角を１０°に設定し、１ｍｍ厚の光学フィルタに両面反射コートをした場合と本発明の片面に反射コート、その裏面にＡＲコートを施した場合の光学フィルタ６の反射光強度についての波長特性比較評価試験結果を下記の表２に示す。
【００１４】
【表２】
0004471293.tif 000003
【００１５】
表２において、両面反射コートの光学フィルタは、両面での反射が干渉し波長により反射光の強度が大きく変化するのに対して、本発明の片面反射コート、その裏面にＡＲコートを施した場合は、９０％程度に抑えられる。また、光学フィルタ厚が厚いほど干渉は小さくなる。
【００１６】
今迄、本発明のモニタ機能内蔵型光スイッチ１の実施例について光学フィルタ６での透過光を信号光、反射光をモニタ光で説明したが、変形例として、反射光を信号光、透過光をモニタ光にした逆の構造でも構わないし、モニタする信号はアナログ信号、デジタル信号を問わないし、モニタする情報は信号内容、信号強度などの種類を問わない。更に、光路平行移動素子として平行四辺形型プリズム３を用いたが、例えばミラーを２枚向き合せたもの等、光路を平行に移動できれば良い。更に、駆動装置１０としては、上下機構のアクチュエータを用いたが、モータ等でも構わない。
【産業上の利用可能性】
【００１７】
光出力を切り替えるために用いる光スイッチに光をＰＤにてモニタする機能を内蔵することにより、光スイッチシステムの低価格化と小型化が実現することが可能になる。
【図面の簡単な説明】
【００１８】
【図１】（イ）は、本発明モニタ機能内蔵型光スイッチ１の光路２が、平行四辺形型プリズム３を通過させた場合で、上からみた構成図で、（ロ）は、本発明モニタ機能内蔵型光スイッチ１の光路２が、平行四辺形型プリズム３に通過させた場合で、横からみた構成図で、（ハ）は、本発明モニタ機能内蔵型光スイッチ１の光路２が、平行四辺形型プリズム３に通過させずに、上を素通りした場合で、横からみた構成図である。
【符号の説明】
【００１９】
１      本発明のモニタ機能内蔵型光スイッチ
２      光路
３      平行四辺形型プリズム
４、４′入力コリメータ
５      出力コリメータ
６      光学フィルタ
７      モニタ用ＰＤ
８      可動部
９      非接触センサ
10      駆動装置
12      反射コート
13      ＡＲコート
14      入射角
【図１】
0004471293.tif 000004